(57)【要約】      （修正有）【課題】シトラスフレーバーの主要香気成分である、シトラールの劣化臭抑制剤、並びに劣化臭の抑制されたシトラスフレーバーを提供する。【解決手段】杜仲葉、エンメイソウ、ハイビスカス、ビート、ライチ種子、オリーブ葉、月見草種子、タヒボ、グァバ葉、マリーゴールド、ブラッククミン、マリアアザミ、アーティチョーク、アイブライト、エキナセア  プルプレア、エキナセア  アングスティフォリアおよびエキナセア パリダの抽出物を１種または２種以上含有することを特徴とするシトラール劣化臭抑制剤を用いることにより、シトラスフレーバーの品質を長期間維持することができる。【選択図】図１
2008031230.tif 000002
【特許請求の範囲】
【請求項１】
杜仲葉、エンメイソウ、ハイビスカス、ビート、ライチ種子、オリーブ葉、月見草種子、タヒボ、グァバ葉、マリーゴールド、ブラッククミン、マリアアザミ、アーティチョーク、アイブライト、エキナセア  プルプレア、エキナセア  アングスティフォリアおよびエキナセア パリダの抽出物を１種または２種以上含有することを特徴とするシトラール劣化臭抑制剤。
【請求項２】
劣化臭成分がｐ−クレゾールであることを特徴とする請求項１に記載のシトラール劣化臭抑制剤。
【請求項３】
請求項１に記載のシトラール劣化臭抑制剤を含むことを特徴とする香料。
【発明の詳細な説明】
【技術分野】
【０００１】
本発明は、香料または飲食品などに使用することができるシトラール劣化臭抑制剤に関するものである。
【背景技術】
【０００２】
シトラール（３，７−ジメチル−２，６−オクタジエナール）は、シトラスフレーバーの主要な香気成分であり柑橘類のフレッシュ感に寄与しているが、酸性条件下においては容易に分解され、フレッシュ感が消失するだけでなく、劣化臭生成の原因となることが知られている。この劣化臭の生成により、シトラスフレーバーを使用した製品は著しく品質が低下する。
【０００３】
劣化臭は、酸触媒によりシトラールが環化した後、水和・酸化などを経て生成することが知られている（非特許文献１）。特に、閾値が低く、柑橘類とは異質な香気をもつ、ｐ−クレゾールが、シトラールの劣化臭に大きく寄与していることが知られている（非特許文献２）。
【０００４】
これまで、劣化臭の生成抑制について多くの検討がなされ、例えば、エリオシトリンを有効成分とするフレーバー劣化防止剤（特許文献１）、クマリン誘導体を含有する劣化防止剤（特許文献２）、ヤーコンから抽出した抽出物からなる劣化抑制剤（特許文献３）などの提案がなされていが、満足できる抑制効果は得られていない。
【非特許文献１】Ｐｅｔｅｒ  Ｓｃｈｉｅｂｅｒｌｅ，Ｈｅｒｂｅｒｔ  Ｅｈｒｍｅｉｅｒ  ａｎｄ  Ｗｅｒｎｅｒ  Ｇｒｏｓｃｈ；Ｚｅｉｔｓｃｈｒｉｆｔ  ｆuｒ Ｌｅｂｅｎｓｍｉｔｔｅｌ−Ｕｎｔｅｒｓｕｃｈｕｎｇ  ｕｎｄ  Ｆｏｒｓｃｈｕｎｇ，１８７，３５−３９（１９８８）
【非特許文献２】Ｐｅｔｅｒ  Ｓｃｈｉｅｂｅｒｌｅ  ａｎｄ  Ｗｅｒｎｅｒ  Ｇｒｏｓｃｈ；Ｌｅｂｅｎｓｍｉｔｔｅｌ−Ｗｉｓｓｅｎｓｃｈａｆｔ  ｕｎｄ  Ｔｅｃｈｎｏｌｏｇｉｅ，２１，１５８−１６２（１９８８）
【特許文献１】特開２００１−６１４６１号公報
【特許文献２】特開２００１−１３６９３１号公報
【特許文献３】特開２００３−２３１８９４号公報
【発明の開示】
【発明が解決しようとする課題】
【０００５】
本発明の目的は、シトラスフレーバーの主要香気成分である、シトラールの劣化臭抑制剤、並びに劣化臭の抑制されたシトラスフレーバーおよび該フレーバーを含有する飲食品を提供することである。
【課題を解決するための手段】
【０００６】
本発明者らは、上記課題を解決するために鋭意研究を重ねた結果、杜仲葉、エンメイソウ、ハイビスカス、ビート、ライチ種子、オリーブ葉、月見草種子、タヒボ、グァバ葉、マリーゴールド、ブラッククミン、マリアアザミ、アーティチョーク、アイブライト、エキナセア  プルプレアおよびエキナセア  アングスティフォリアの抽出物にシトラール劣化臭抑制効果を見出し、本発明を完成するに至った。
【発明の効果】
【０００７】
本発明のシトラール劣化臭抑制剤は、食品由来であるため安全性が高く、しかも強いシトラール劣化臭抑制効果を示す。
【発明を実施するための最良の形態】
【０００８】
本発明で使用される杜仲葉はトチュウ（Ｅｕｃｏｍｍｉａ  ｕｌｍｏｉｄｅｓ）の葉である。トチュウはトチュウ科に属し、中国、日本で栽培されている。樹皮は生薬として、葉は杜仲茶として飲用されている。
【０００９】
本発明で使用されるエンメイソウ（Ｉｓｏｄｏｎ  ｊａｐｏｎｉｃｕｓ）とは、シソ科に属し、ヒキオコシともよばれる。古くから苦味健胃剤として用いられている。本発明においては、全草を使用することができる。
【００１０】
本発明で使用されるハイビスカス（Ｈｉｂｉｓｃｕｓ  ｓａｂｄａｒｉｆｆａ）とは、アオイ科に属し、スリランカ、エジプト、東南アジアで栽培されている。萼がハーブティーとして用いられている。本発明においては、一般に流通していることから入手が容易である萼を使用することが好ましい。
【００１１】
本発明で使用されるビート（Ｂｅｔａ  ｖｕｌｇａｒｉｓ）とは、アカザ科に属し、ロシア、ヨーロッパ、アメリカで栽培されている。根が食用および砂糖原料として利用されている。本発明においては、一般に流通していることから入手が容易である根を使用することが好ましい。
【００１２】
本発明で使用されるライチ（Ｌｉｔｃｈｉ  ｃｈｉｎｅｎｓｉｓ）とは、ムクロジ科に属し、中国南部、台湾、インドシナ半島で栽培されている。果実が生食などに用いられている。本発明においては一般に流通していることから入手が容易であり、取り扱いも容易であることから種子を使用することが好ましい。
【００１３】
本発明で使用されるオリーブ（Ｏｌｅａ  ｅｕｒｏｐａｅａ）とは、モクセイ科に属し、地中海沿岸で栽培されている。果実がピクルスやオリーブオイルの原料として、葉はハーブティーとして用いられている。本発明においては、未加工の果実は入手が困難なため、一般に流通していることから入手が容易である葉を使用することが好ましい。
【００１４】
本発明で使用される月見草（Ｏｎａｇｒａｃｅａｅ  ｂｉｅｎｎｉｓ）とは、アカバナ科に属し、アメリカ、中国で栽培されている。種子が月見草油の原料として用いられている。本発明においては、一般に流通していることから入手が容易である種子を使用することが好ましい。
【００１５】
本発明で使用されるタヒボ（Ｔａｂｅｂｕｉａ  ａｖｅｌｌａｎｅｄａｅ）とは、ノウゼンカズラ科に属し、ブラジルで自生している。内部樹皮をお茶として利用している。本発明においては、一般に流通していることから入手が容易である内部樹皮を使用することが好ましい。
【００１６】
本発明で使用されるグァバ（Ｐｓｉｄｉｕｍ  ｇｕａｊａｖａ）とは、フトモモ科に属し、ブラジル、フィリピンで栽培されている。果実が生食やジュースに、葉はお茶として用いられている。本発明においては、一般に流通していることから入手が容易であり、取り扱いが容易であることから葉を使用することが好ましい。
【００１７】
本発明で使用されるマリーゴールド（Ｃａｌｅｎｄｕｌａ  ｏｆｆｉｃｉｎａｌｉｓ）とは、キク科に属し、ヨーロッパ、日本で栽培されている。花がハーブティーとして用いられている。本発明においては、一般に流通していることから入手が容易である花を使用することが好ましい。
【００１８】
本発明で使用されるブラッククミン（Ｎｉｇｅｌｌａ  ｓａｔｉｖａ）とは、キンポウゲ科に属し、パキスタン、アフガニスタン、中国で栽培されている。種子が香辛料として用いられている。本発明においては、一般に流通していることから入手が容易である種子を使用することが好ましい。
【００１９】
本発明で使用されるマリアアザミ（Ｓｉｌｙｂｕｍ  ｍａｒｉａｎｕｍ）とは、キク科に属し、北アフリカ、南米で栽培されている。全草が食用、ハーブティーとして用いられている。本発明においては、全草を使用することができる。
【００２０】
本発明で使用されるアーティチョーク（Ｃｙｎａｒａ  ｓｃｏｌｙｍｕｓ）とは、キク科に属し、アメリカ、地中海沿岸で栽培されている。つぼみが食用として、葉がハーブティーとして用いられている。
【００２１】
本発明で使用されるアイブライト（Ｅｕｐｈｒａｓｉａ  ｏｆｆｉｃｉｎａｌｉｓ）とは、ゴマノハグサ科に属し、ヨーロッパ、日本で栽培されている。全草がハーブティーとして用いられている。本発明においては、一般に流通していることから入手が容易である葉を使用することが好ましい。
【００２２】
本発明で使用されるエキナセア  プルプレア（Ｅｃｈｉｎａｃｅａ  ｐｕｒｐｕｒｅａ）、エキナセア  アングスティフォリア（Ｅｃｈｉｎａｃｅａ  ａｎｇｕｓｔｉｆｏｌｉａ）およびエキナセア パリダ（Ｅｃｈｉｎａｃｅａ  ｐａｌｌｉｄａ）とは、キク科に属し、北アメリカで栽培されている。ハーブティーとして用いられている。本発明においては、一般に流通していることから入手が容易である地上部または根を使用することが好ましい。
【００２３】
本発明のシトラール劣化臭抑制剤は、前記原料より任意の方法で抽出し、調製することができる。具体的には、浸漬抽出、撹拌抽出、連続抽出、向流抽出、超臨界抽出などが挙げられるが、簡便かつ効率的であることから撹拌抽出が好ましい。
【００２４】
これら抽出において使用する溶媒は、極性溶媒であることが好ましい。極性溶媒の種類としては、メタノール、エタノール、ブタノールなどのアルコール類、アセトン、酢酸エチル、ジエチルエーテルなどの有機溶媒、水またはこれらの混合溶媒が挙げられるが、食品への使用における安全性などの面から含水エタノールが特に好ましく用いられる。
【００２５】
本発明において極性溶媒抽出を行う場合、質量比で原料１に対し極性溶媒５〜１００倍量を使用することが好ましい。例えば、含水エタノールを用いる場合、含水エタノールの量が原料１に対し１０〜５０倍量であることがさらに好ましい。また、含水エタノールのエタノールと水は任意の比率で混合することができるが、容量比で９０：１０〜４０：６０であることが好ましい。抽出温度は、特に限定されないが１０〜８０℃が好ましく、２０〜６０℃であることがさらに好ましい。また、抽出時間も特に限定されないが数分〜２時間が好ましく、１０〜６０分撹拌抽出を行うことがより好ましい。
【００２６】
さらに、上記含水エタノール抽出液を活性炭の吸着作用によって、脱色および脱臭を図るのが好ましい。具体的には、抽出液中に活性炭を投入し、必要に応じて攪拌した後、濾過にて活性炭を除去する。そして、その後必要に応じて抽出溶媒を減圧留去する。
【００２７】
上記の抽出液は必要に応じて、極性溶媒を除去して、水溶液や固形物としても良い。また、抽出液を乾燥して固形物とする場合は、デキストリンなどの賦形剤を加えることもでき、スプレードライや凍結乾燥など公知の方法で乾燥することができる。得られた固形物は必要に応じて、適宜粉砕もしくは磨砕することができる。
【００２８】
本発明のシトラール劣化臭抑制剤は、香料の調製または飲食品の加工段階で適宜添加することができる。例えば、香料としては、レモン香料、オレンジ香料、ライム香料、グレープフルーツ香料などのシトラス香料、飲食品としては、果汁飲料、無果汁飲料、清涼飲料水、乳酸菌飲料、紅茶、栄養ドリンクなどの飲料類、アイスクリーム、ヨーグルトなどの乳製品、調理冷凍食品などの加工食品、マヨネーズ、ドレッシングなどの調味料、その他栄養剤、シロップ、ジャムなどの液状もしくは流動状の食品、ゼリー、ババロア、ケーキ、チョコレート、キャンディー、焼き菓子などの菓子類に添加することが可能である。このときの添加量としては、上記香料または飲食品中、０．０００１〜１０質量％、好ましくは０．０１〜１質量％である。
【００２９】
もちろん、上記香料または飲食品には、本発明の効果を阻害しない範囲で、通常用いられる甘味剤や保存剤、分散剤、着色剤、酸化防止剤を添加できるのは言うまでもない。さらに、公知の劣化臭抑制剤であるＬ−アスコルビン酸、茶抽出物、ブドウ種子抽出物、ローズマリー抽出物などと併用することもできる。
【００３０】
以下に実施例を挙げて本発明を詳細に説明するが、本発明はこの実施例に限定されるものではない。
【実施例１】
【００３１】
杜仲葉からのシトラール劣化臭抑制剤の製造
杜仲葉８ｇに５０容量％の含水エタノール１２０ｇを添加し、６０℃で１時間撹拌し、濾過した。得られた濾液を遠沈分離し、上澄から溶媒を減圧留去することにより、抽出物を得た。
【実施例２】
【００３２】
エンメイソウからのシトラール劣化臭抑制剤の製造
エンメイソウ８ｇに５０容量％の含水エタノール１２０ｇを添加し、６０℃で１時間撹拌し、濾過した。得られた濾液を遠沈分離し、上澄から溶媒を減圧留去することにより、抽出物を得た。
【実施例３】
【００３３】
ハイビスカスからのシトラール劣化臭抑制剤の製造
ハイビスカス８ｇに５０容量％の含水エタノール１２０ｇを添加し、６０℃で１時間撹拌し、濾過した。得られた濾液を遠沈分離し、上澄から溶媒を減圧留去することにより、抽出物を得た。
【実施例４】
【００３４】
ビートからのシトラール劣化臭抑制剤の製造
ビートの根の乾燥粉末８ｇに５０容量％の含水エタノール１２０ｇを添加し、６０℃で１時間撹拌し、濾過した。得られた濾液を遠沈分離し、上澄から溶媒を減圧留去することにより、抽出物を得た。
【実施例５】
【００３５】
ライチ種子からのシトラール劣化臭抑制剤の製造
粉砕したライチの種子８ｇに５０容量％の含水エタノール１２０ｇを添加し、６０℃で１時間撹拌し、濾過した。得られた濾液を遠沈分離し、上澄から溶媒を減圧留去することにより、抽出物を得た。
【実施例６】
【００３６】
オリーブ葉からのシトラール劣化臭抑制剤の製造
オリーブ葉８ｇに５０容量％の含水エタノール１２０ｇを添加し、６０℃で１時間撹拌し、濾過した。得られた濾液を遠沈分離し、上澄から溶媒を減圧留去することにより、抽出物を得た。
【実施例７】
【００３７】
月見草種子からのシトラール劣化臭抑制剤の製造
月見草の種子８ｇにヘキサン４０ｇを添加し、１時間還流させ脱脂した。得られた脱脂物からヘキサンを留去後、５０容量％の含水エタノール１２０ｇを添加し、６０℃で１時間撹拌し、濾過した。得られた濾液を遠沈分離し、上澄から溶媒を減圧留去することにより、抽出物を得た。
【実施例８】
【００３８】
タヒボからのシトラール劣化臭抑制剤の製造
タヒボの樹皮８ｇに５０容量％の含水エタノール１２０ｇを添加し、６０℃で１時間撹拌し、濾過した。得られた濾液を遠沈分離し、上澄から溶媒を減圧留去することにより、抽出物を得た。
【実施例９】
【００３９】
グァバ葉からのシトラール劣化臭抑制剤の製造
グァバ葉８ｇに５０容量％の含水エタノール１２０ｇを添加し、６０℃で１時間撹拌し、濾過した。得られた濾液を遠沈分離し、上澄から溶媒を減圧留去することにより、抽出物を得た。
【実施例１０】
【００４０】
マリーゴールドからのシトラール劣化臭抑制剤の製造
マリーゴールドの花８ｇに５０容量％の含水エタノール１２０ｇを添加し、６０℃で１時間撹拌し、濾過した。得られた濾液を遠沈分離し、上澄から溶媒を減圧留去することにより、抽出物を得た。
【実施例１１】
【００４１】
ブラッククミンからのシトラール劣化臭抑制剤の製造
ブラッククミンの種子８ｇにヘキサン４０ｇを添加し、１時間還流させ脱脂した。得られた脱脂物からヘキサンを留去後、５０容量％の含水エタノール１２０ｇを添加し、６０℃で１時間撹拌し、濾過した。得られた濾液を遠沈分離し、上澄から溶媒を減圧留去することにより、抽出物を得た。
【実施例１２】
【００４２】
マリアアザミからのシトラール劣化臭抑制剤の製造
マリアアザミ８ｇに５０容量％の含水エタノール１２０ｇを添加し、６０℃で１時間撹拌し、濾過した。得られた濾液を遠沈分離し、上澄から溶媒を減圧留去することにより、抽出物を得た。
【実施例１３】
【００４３】
アーティチョークからのシトラール劣化臭抑制剤の製造
アーティチョークの葉８ｇに５０容量％の含水エタノール１２０ｇを添加し、６０℃で１時間撹拌し、濾過した。得られた濾液を遠沈分離し、上澄から溶媒を減圧留去することにより、抽出物を得た。
【実施例１４】
【００４４】
アイブライトからのシトラール劣化臭抑制剤の製造
アイブライト８ｇに５０容量％の含水エタノール１２０ｇを添加し、６０℃で１時間撹拌し、濾過した。得られた濾液を遠沈分離し、上澄から溶媒を減圧留去することにより、抽出物を得た。
【実施例１５】
【００４５】
エキナセア  プルプレアからのシトラール劣化臭抑制剤の製造
エキナセア  プルプレア葉８ｇに５０容量％の含水エタノール１２０ｇを添加し、６０℃で１時間撹拌し、濾過した。得られた濾液を遠沈分離し、上澄から溶媒を減圧留去することにより、抽出物を得た。
【実施例１６】
【００４６】
エキナセア  アングスティフォリアからのシトラール劣化臭抑制剤の製造
エキナセア  アングスティフォリアの根８ｇに５０容量％の含水エタノール１２０ｇを添加し、６０℃で１時間撹拌し、濾過した。得られた濾液を遠沈分離し、上澄から溶媒を減圧留去することにより、抽出物を得た。
【比較例】
【００４７】
比較例として、Ｌ（＋）−アスコルビン酸（和光純薬工業株式会社）、クロロゲン酸（東京化成工業株式会社）、（−）−エピガロカテキンガレート（和光純薬工業株式会社）、酵素処理ルチン（αＧルチンＰＳ：東洋精糖株式会社）を使用した。
【実施例１７】
【００４８】
蒸留水２００ｇにクエン酸０．１質量％、シトラール８０ｐｐｍおよび上記実施例で得られた劣化臭抑制剤０．１質量％となるよう添加した。このシトラール水溶液を、６０℃で７日間虐待試験を行った。
【００４９】
虐待試験を行ったシトラール水溶液について、劣化臭成分（ｐ−クレゾール）の生成量を高速液体クロマトグラフィー（ＨＰＬＣ）で測定した。ｐ−クレゾール生成率を図１に示した。なお、ｐ−クレゾール生成率は以下の式に従って計算した。
ｐ−クレゾール生成率（％）＝Ｘ／Ｙ×１００
Ｘ：劣化臭抑制剤添加サンプル中のｐ−クレゾール含有量
Ｙ：劣化臭抑制剤無添加サンプル中のｐ−クレゾール含有量
【００５０】
ＨＰＬＣの測定条件は以下の通りである。
装  置：日本分光株式会社製ＨＰＬＣシステム
カラム：Ｍｉｇｈｔｙｓｉｌ  ＲＰ−１８  ＧＰ  ２５０−４．６（関東化学株式会社製）
カラム温度：３０℃
溶離液：Ａ  アセトニトリル、Ｂ  水
グラジエント条件：
──────────────────────────────
０分    →   ４０分  →   ７０分
Ａ  アセトニトリル   ２０％        ４０％     １００％
Ｂ        水         ８０％        ６０％         ０％
──────────────────────────────
流  速：１ｍＬ／ｍｉｎ
検出波長：ＵＶ２８０ｎｍ
注入量：１０μＬ
【００５１】
図１が示すように、シトラール由来の劣化臭成分であるｐ−クレゾールの生成抑制について、これまで劣化臭抑制剤として期待されていたクロロゲン酸、エピガロカテキンガレートおよび酵素処理ルチンでは、むしろｐ−クレゾールの生成を促進したのに対し、本発明のシトラール劣化臭抑制剤は一般に使用されているＬ−アスコルビン酸よりも高い効果を示した。
【実施例１８】
【００５２】
レモン炭酸飲料
果糖ブドウ糖液糖１２７ｇ、クエン酸１ｇ、蒸留水２００ｇ、エンメイソウ抽出物０．１ｇ、レモン香料１ｇを添加し、炭酸水で１０００ｇとした後、８０℃で３０分間加熱殺菌後、冷却してレモン炭酸飲料とした。
【実施例１９】
【００５３】
レモンティー
砂糖５０ｇ、果糖ブドウ糖液糖２５ｇ、レモン透明果汁５ｇ、クエン酸０．０５ｇ、紅茶抽出液５０ｇ、レモン香料１ｇおよびグァバ葉抽出物０．１ｇを添加し、蒸留水で全量を１０００ｇに調整した。この溶液を７０℃で１０分間殺菌し、レモンティーとした。
【産業上の利用可能性】
【００５４】
本発明のシトラール劣化臭抑制剤は、安全性が高く、熱によるシトラールの劣化臭の生成を顕著に抑制するため、香料または飲食品の品質を長期間維持することができる。
【図面の簡単な説明】
【００５５】
【図１】実施例１７におけるｐ−クレゾールの生成率を表したグラフである。
【図１】
2008031230.tif 000003